(57)【要約】【課題】プリンタ及びカット紙を収納して運搬するための小型のプリンタ用キャリーバッグを提供することである。【解決手段】プリンタ用キャリーバッグが、表蓋と、裏蓋と、該表蓋と裏蓋とを開閉可能に連結する蝶番とを備え、表蓋と裏蓋との間にプリンタ及びカット紙を収納できるようになっており、カット紙を収納するためのカット紙収納部が表蓋の天板の内面、蝶番及び裏蓋の底板の内面に亙った領域に設けられている構成として、上記目的を達成した。【選択図】  図１
2009274380.tif 000002
【特許請求の範囲】
【請求項１】
表蓋と、裏蓋と、該表蓋と裏蓋とを開閉可能に連結する蝶番とを備え、該表蓋と裏蓋との間にプリンタ及びカット紙を収納できるようになっているプリンタ用キャリーバッグであって、
前記カット紙を収納するためのカット紙収納部が、前記表蓋の天板の内面、前記蝶番及び前記裏蓋の底板の内面に亙った領域に設けられている
ことを特徴とするプリンタ用キャリーバッグ。
【請求項２】
前記プリンタを保持するためのプリンタ保持部が、前記カット紙収納部の裏蓋側部分を覆うように前記裏蓋に設けられていることを特徴とする請求項１に記載のプリンタ用キャリーバッグ。
【請求項３】
前記プリンタ保持部は、前記プリンタの給紙口と排紙口の双方を外部からアクセス可能とするように前記プリンタを保持することを特徴とする請求項２に記載のプリンタ用キャリーバッグ。
【請求項４】
前記カット紙収納部の裏蓋側部分が、前記カット紙の一部を収めるポケットを備えていることを特徴とする請求項１から３のいずれかに記載のプリンタ用キャリーバッグ。
【請求項５】
前記ポケットは、前記蝶番に対して進退する方向にスライド可能に構成されており、
前記キャリーバッグを開いた時に前記ポケットを前記蝶番に向ってスライドさせると共に、前記キャリーバッグを閉じた時に前記ポケットを前記蝶番から離れるようにスライドさせる、ポケット駆動機構をさらに備えたことを特徴とする請求項４に記載のプリンタ用キャリーバッグ。
【請求項６】
前記ポケット駆動機構は、
前記蝶番の旋回軸に略直交する面上を回動可能となるように前記表蓋に軸支されている第１のアームと、
前記蝶番の旋回軸に略直交する面上を回動可能となるように前記裏蓋に軸支されている第２のアームと、
前記第１のアームと第２のアームとが互いに回動可能となるように両者をリンクするリンクピンと、
前記第２のアーム及び前記ポケットを連結し、前記第２のアームの揺動に応じて前記ポケットを進退させる引張り棒と
を有することを特徴とする請求項５に記載のプリンタ用キャリーバッグ。
【請求項７】
前記表蓋との間で前記カット紙を保持する用紙押さえ板が前記表蓋に取り付けられていることを特徴とする請求項１から６のいずれかに記載のプリンタ用キャリーバッグ。
【請求項８】
前記用紙押さえ板は、前記表蓋との間に保持されている前記カット紙を取り出すための開口部を備えていることを特徴とする請求項７に記載のプリンタ用キャリーバッグ。
【発明の詳細な説明】
【技術分野】
【０００１】
本発明は、プリンタ及びカット紙を収納して運搬するためのプリンタ用キャリーバッグに関する。
【背景技術】
【０００２】
例えば特許文献１に記載されているもののような小型且つバッテリー駆動可能なサーマルプリンタの利用方法としては、携帯端末（ノートＰＣやＰＤＡ等）と連係させ、出先で資料、契約書、請求書等を出力するといったものが挙げられる。このような目的のため、プリンタ、印字媒体であるカット紙、携帯端末を収納し、これらを平易に運搬できるようにしたキャリーバッグが提案されている（特許文献２）。
【特許文献１】特開平１０−８２６号
【特許文献２】実開平６−４３７２３号
【０００３】
このようなキャリーバッグの一例を図１１に示す。図１１のキャリーバッグ１０１は、表蓋１１１と裏蓋１２１を蝶番１３１を介して連結した、所謂アタッシェケース状のバッグである。このようなキャリーバッグにおいては、発泡ウレタン等から形成された緩衝材１２２が裏蓋１２１に設けられており、緩衝材１２２には、プリンタＰやアクセサリＡ（ＡＣアダプタなど）を保持するための凹部１２２ａが設けられている。この凹部１２２ａにプリンタＰやアクセサリＡを嵌め込むことにより、プリンタＰやアクセサリＡはキャリーバッグ１０１内に保持される。
【０００４】
印字媒体であるカット紙Ｓは、表蓋１１１側で保持される。すなわち、表蓋１１１の内面１１１ａには、図示しない蝶番又は板ばねを介して保持パネル１１２が取り付けられている。カット紙Ｓの束は、保持パネル１１２と表蓋１１１の内面１１１ａとの間で保持される。
【発明の開示】
【発明が解決しようとする課題】
【０００５】
上記のように、従来のキャリーバッグは表蓋にカット紙が収納されるようになっている。また、プリンタ、特にバッテリー駆動に適した感熱ラインプリンタは、その幅がカット紙の短辺長さよりもやや大きくなり、奥行、高さは、幅に比べて十分に小さくなる。すなわち、感熱ラインプリンタの幅方向寸法はカット紙の長辺寸法よりも小さく、また、奥行、高さ方向寸法はカット紙の短辺寸法よりも十分に小さい。すなわち、プリンタの任意の投影面は、カット紙の中に収まる。このため、キャリーバッグの寸法はカット紙の寸法によって決まり、カット紙よりも一回り大きい程度の大きさとなる。
【０００６】
これは、キャリーバッグにプリンタを収納する場合、図１１のように、裏蓋側に大きなデットスペースが生じていたとしても、キャリーバッグをカット紙に合わせた大きさとせざるを得ない、ということを意味する。このように、従来のキャリーバッグにおいては、カット紙の寸法以上の小型化ができなかった。
【０００７】
本発明は上記の問題を解決するためになされたものである。すなわち、本発明は、プリンタと印字媒体としてのカット紙とを収納可能であり、且つ小型のキャリーバッグを提供することを目的とする。
【課題を解決するための手段】
【０００８】
上記の問題を解決するため、本発明のプリンタ用のキャリーバッグは、表蓋と、裏蓋と、該表蓋と裏蓋とを開閉可能に連結する蝶番とを備え表蓋と裏蓋との間にプリンタ及びカット紙を収納できるようになっており、カット紙を収納するためのカット紙収納部が表蓋の天板の内面、蝶番及び裏蓋の底板の内面に亙った領域に設けられていることを特徴としている。
【０００９】
このような構成とすると、キャリーバッグを閉じた状態では、カット紙がＵ字状に屈曲されることになるため、キャリーバッグの大きさをカット紙の大きさよりも小さくすることができる。
【発明の効果】
【００１０】
以上のように、本発明によれば、プリンタと印字媒体としてのカット紙とを収納可能であり、且つ小型のキャリーバッグが実現される。
【発明を実施するための最良の形態】
【００１１】
以下、本発明の実施の形態について、図面を用いて詳細に説明する。図１及び図２は、本実施形態のプリンタ用キャリーバッグの斜視図である。図１はプリンタ、アクセサリ、カット紙を収納していない状態のものであり、図２はプリンタ、アクセサリ、カット紙を装着した状態のものである。また、図３はキャリーバッグの断面図である。
【００１２】
図１に示されるように、本実施形態のキャリーバッグ１は、表蓋１１と裏蓋２１とを一対の蝶番３１によって開閉自在に連結した、所謂アタッシェケース形状となっている。なお、以下の記載においては、蝶番３１の並び方向をキャリーバッグの幅方向、裏蓋２１を底にして水平面に置いた時の鉛直方向をキャリーバッグの高さ方向、幅方向と高さ方向の双方に垂直な方向をキャリーバッグの奥行方向と定める。なお、キャリーバッグ奥行方向において、蝶番３１が配置されている側（図中右上）を奥側、その反対側（図中左下）を手前側と称する。なお、裏蓋２１に対して揺動する表蓋１１については、表蓋１１を閉じた時の状態に基づき、蝶番３１のある側（図中下側）を奥側、その反対側（図中上側）を手前側とする。
【００１３】
裏蓋２１の手前側側面２１ａには、把手３２が固定されている。キャリーバッグ１を閉じた状態では、この把手３２を持ってキャリーバッグ１及び内容物を平易に運搬する事ができる。
【００１４】
裏蓋２１には、発泡ウレタン樹脂等の柔軟且つ弾性のある緩衝材２２が取り付けられている。緩衝材２２には、プリンタＰ（図２）を収納するための第１凹部２２ａと、ＡＣアダプタ等のアクセサリＡ（図２）を収納するための第２凹部２２ｂとが設けられている。図２に示される本実施形態のプリンタＰは感熱ラインプリンタであり、幅方向寸法に対して、奥行、高さ方向の寸法が小さいものである。プリンタＰは、Ａ４サイズのカット紙Ｓに印字を行うことができるようになっている。このため、プリンタＰの幅方向寸法は、カット紙Ｓの短辺（約２１０ミリメートル）よりもやや大きい程度の寸法となっている。また、プリンタＰの用紙入口ＩはプリンタＰの上面に、また、用紙出口ＯはプリンタＰの手前側側面に夫々設けられている。
【００１５】
本実施形態においては、図３の断面図に示されるように、第１凹部２２ａの底面は、手前側（図中左）が奥側（図中右）よりも高くなるように傾斜している。これによって、プリンタＰを第１凹部２２ａに取り付けたときに、プリンタＰの用紙出口Ｏが緩衝材の手前側上面２２ｄの上に配置されるようになっている。このため、図２に示されるように、プリンタＰをキャリーバッグ１から取り出すことなく、カット紙Ｓを用紙入口Ｉに差し込み、用紙出口Ｏから排出される印字済みのカット紙Ｓを取り出すことができるようになっている。
【００１６】
表蓋１１の内面１１ａには、保持パネル１２が取り付けられている。保持パネル１２は表蓋１１の内面１１ａに対して、数ミリメートル〜１センチメートル程度の間隔をおいて略平行となるように取り付けられており、保持パネル１２と表蓋１１との間でプリンタＰ用の印字媒体であるカット紙Ｓの一部分を保持することができるようになっている。また、保持パネル１２の手前側部分には、開口部１２ａが設けられており、図２のように、収納されたカット紙Ｓを、この開口部１２ａから取り出すことができるようになっている。
【００１７】
カット紙Ｓの収納状態につき、以下説明する。図４は、カット紙Ｓをキャリーバッグ１に収納し、さらにキャリーバッグ１を閉じた状態を示す斜視図である。なお、図４においては、図面をみやすくするため、表蓋１１は省略している。本実施形態においては、カット紙Ｓは、表蓋１１側から裏蓋２１側に亙って収納されるようになっている。すなわち、図１、図３に示されるように、保持パネル１２の奥側部分と、緩衝材２２の奥側部分には、夫々切欠き部１２ｂ、２２ｃが設けられている。カット紙Ｓは、保持パネル１２と表蓋１１との間から、切欠き部１２ｂ、２２ｃを介して、裏蓋２１の内面２１ａと緩衝材２２の底面２２ｅとの間に設けられた空隙部４１に配置されるようになっている（図２、図４）。このため、キャリーバッグ１を閉じた状態では、図４のように、カット紙ＳはＵ字状に屈曲されることになる。このように、表蓋１１側から裏蓋２１側に亙ってカット紙が収納されるようになっているので、キャリーバッグ１の幅方向寸法は、カット紙Ｓの短辺よりもやや大きい程度に抑えられる。また、キャリーバッグ１の奥行方向寸法は、カット紙Ｓの長辺よりも十分に小さい大きさとすることができる。例えば、本実施形態においては、図３に示されるように、把手３２を除くキャリーバッグ１の奥行方向寸法は、カット紙Ｓの長辺の半分程度の長さとプリンタＰの奥行方向長さとの和よりやや大きい程度となっている。
【００１８】
図３及び４に示されるように、裏蓋２１の内面２１ｂと緩衝材２２の底面２２ｅとの間に設けられた空隙部４１には、カット紙Ｓの先端部を保持するためのポケット４２が設けられている。ポケット４２は、裏蓋２１の内面２１ｂと緩衝材２２の底面２２ｅとの間で奥行方向にスライド可能となっている。
【００１９】
本実施形態においては、キャリーバッグ１の開閉に合わせてポケット４２を進退させることができるようになっている。以下、その機構について説明する。
【００２０】
図１に示されているように、キャリーバッグ１の奥側、且つ幅方向両端の２箇所には、表蓋１１と裏蓋１２とを連結するステー４３が設けられている。このステー４３は、表蓋１１に軸支されている第１アーム４３ａと、裏蓋２１に軸支されている第２アーム４３ｂと、第１アーム４３ａと第２アーム４３ｂとを互いに回動可能に連結するリンクピン４３ｃとを備えている。ステー４３は、表部１１の裏蓋２１に対する最大開度の制限、表蓋１１をガイドして開閉時のガタツキを抑える、ねじり荷重に対する補強、といった機能を有する。また、リンクピン４３に板ばねを設けることによって、第１アーム４３ａと第２アーム４３ｂとの間に摩擦抵抗を生じさせ、表蓋１１が裏蓋２１に対して中程度開いた状態を保持可能とする（自然に表蓋１１が閉じないようにする）ことも可能である。
【００２１】
本実施形態においては、ステー４３の第２アーム４３ｂとポケット４２とが引張り棒４４（図１）を介して連結されている。本実施形態においては、キャリーバッグ１の開閉に応じて、第２アーム４３ｂが裏蓋２１に対して揺動するようになっている。そして、第２アームの４３ｂの揺動に応じて、引張り棒４４が動いてポケット４２を進退させる。以下、引張り棒４４の具体的な機能につき説明する。
【００２２】
図５〜１０は、本実施形態のキャリーバッグ１の側面図である。なお、図５〜１０のいずれも、表蓋１１及び裏蓋２１の図中手前側の側壁（図１における１１ｂ、２１ｃ）を省略し、表蓋１１及び裏蓋２１の中に配置されているステー４３、引張り棒４４及びポケット４２は実線で示されている。
【００２３】
図示されているように、引張り棒４４は、その上端においてピン４４ａを介して第２アーム４３ｂに軸支されている。また、引張り棒４４の下端には別のピン４４ｂが設けられている。このピン４４ｂは、ポケット４２の側面に設けられたスリット４２ａに取り付けられている。引張り棒４４は、スリット４２ａに沿ってスライド可能であると共に、ピン４４ｂの軸回りに回動可能である。ポケット４２のスリットは、奥行方向奥側上部から、奥行方向手前側下部に向って伸びている。
【００２４】
図５は、キャリーバッグ１が閉じられている状態を示したものである。この状態では、引張り棒４４のピン４４ｂは、スリット４２ａの下端に位置している。
【００２５】
次いで、図５の状態から表蓋１１の手前側を持ち上げると、表蓋１１は、蝶番３１のピン３１ａを中心に図中反時計回りに回動し、図６の状態となる。この状態においては、引張り棒４４の上側のピン４４ａが図中左上に引っ張られ、下側のピン４４ｂがスリット４２ａの上端に移動する。なお、この時点では、ポケット４２の位置は図５の状態と同じである。
【００２６】
図６の状態から表蓋１１の手前側をさらに持ち上げると、図７のように、引張り棒４４の上側のピン４４ａがさらに図中左上に引っ張られる。図６の状態で既に下側のピン４４ｂはスリット４２ａの上端に位置しているので、ピン４４ａが図中左上に引っ張られると、引張り棒４４がピン４４ａを中心に図中時計回りに回動し、その結果、下側のピン４４ｂは奥側に移動しようとする。この結果、スリット４２ａを介してピン４４ｂと係合しているポケット４２は、図５、６の状態（図中破線部）から左に移動する。
【００２７】
図７の状態から表蓋１１の手前側をさらに持ち上げると、図８のように、第１アーム４３ａと第２アーム４３ｂが係合して、それ以上表蓋１１を図中反時計回りに回動させる事ができなくなる（全開状態）。この状態では、図７の状態からポケット４２がさらに奥側に移動する。
【００２８】
図８に示す全開状態から、表蓋１１を蝶番３１のピン３１ａを中心に図中時計回りに回動させる（すなわち、キャリーバッグ１を閉じる）と、図９のように、引張り棒４４の上側のピン４４ａが手前側に移動し、それに合わせて下側のピン４４ｂは、スリット４２ａの下端に移動する。この状態においては、ポケット４２は図８の状態から移動していない。
【００２９】
図９の状態から表蓋１１の手前側を下に下げると、引張り棒４４の上側のピン４４ａが図中右下に移動するとともに、引張り棒４４がピン４４ａを中心に図中反時計回りに回動し、下側のピン４４ｂが手前側に移動する。そして、ピン４４ｂとスリット４２ａの下端で係合するポケット４２もまた、図８及び９の状態（図中破線部）から手前側に移動する。そして、キャリーバッグ１が完全に閉じると、ポケット４２もまた、図５の位置に戻る。
【００３０】
以上説明した機構によって、キャリーバッグ１を開けると、ポケット４２が手前側から奥側に移動する。図２に示されるように、本実施形態のキャリーバッグ１においては、カット紙Ｓがスリット１２ｂと２２ｃとの間を通されている。スリット１２ｂと２２ｃとの間の間隔はキャリーバッグ１を開けると拡がる。そのため、ポケット４２が固定されている場合は、キャリーバッグ１を開けると収納されているカット紙Ｓの表蓋１１側の先端が蝶番３１に向って後退して開口部１２ａよりも奥側にもぐり込んでしまい、カット紙Ｓを開口部１２ａから取り出しにくくなってしまう。キャリーバッグ１を開けた状態で、カット紙Ｓの先端が開口部１２ａに位置するように、ポケット４２の位置を奥側に配置すると、キャリーバッグ１を閉じた時に、カット紙Ｓの先端が手前側に移動するため、カット紙Ｓと表蓋１１の手前側の側壁１１ｃが干渉しないように、キャリーバッグ１の奥行方向寸法を大きめにとる必要がある。
【００３１】
これに対し、本実施形態においては、キャリーバッグ１を開けると、ポケット４２が奥側に移動してカット紙Ｓの表蓋１１側の先端を押し出して、カット紙Ｓの先端が開口部１２ａ内に位置するようにする。従って、本実施形態によれば、奥行方向寸法を大きくすることなく、開口部１２ａからカット紙Ｓを取り出しやすいキャリーバッグが実現される。
【図面の簡単な説明】
【００３２】
【図１】本発明の実施の形態のキャリーバッグの斜視図である。
【図２】本発明の実施の形態のキャリーバッグであって、プリンタ及びカット紙が収納された状態のものの斜視図である。
【図３】本発明の実施の形態のキャリーバッグの断面図である。
【図４】本発明の実施の形態のキャリーバッグであって、カット紙が収納され且つ閉じた状態のものの斜視図である。
【図５】閉じた状態の本発明の実施の形態のキャリーバッグの側面図である。
【図６】図５の状態からやや開いた状態の本発明の実施の形態のキャリーバッグの側面図である。
【図７】図６の状態からさらに開いた状態の本発明の実施の形態のキャリーバッグの側面図である。
【図８】全開状態の本発明の実施の形態のキャリーバッグの側面図である。
【図９】図８の状態からやや閉じた状態の本発明の実施の形態のキャリーバッグの側面図である。
【図１０】図９の状態からさらに閉じた状態の本発明の実施の形態のキャリーバッグの側面図である。
【図１１】従来のキャリーバッグの一例の斜視図である。
【符号の説明】
【００３３】
１    キャリーバッグ
１１    表蓋
１２    保持パネル
１２ａ  開口部
１２ｂ  切欠き部
２１    裏蓋
２２    緩衝材
３１    蝶番
４１    空隙部
４２    ポケット
４２ａ  スリット
４３    ステー
４３ａ  第１アーム
４３ｂ  第２アーム
４３ｃ  リンクピン
４４    引張り棒
４４ａ  ピン
４４ｂ  ピン
Ｐ    プリンタ
Ｓ    カット紙
【図１】
2009274380.tif 000003
【図２】
2009274380.tif 000004
【図３】
2009274380.tif 000005
【図４】
2009274380.tif 000006
【図５】
2009274380.tif 000007
【図６】
2009274380.tif 000008
【図７】
2009274380.tif 000009
【図８】
2009274380.tif 000010
【図９】
2009274380.tif 000011
【図１０】
2009274380.tif 000012
【図１１】
2009274380.tif 000013